【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  異なる色を有する複数のカラーボタンを備えたリモコン装置で操作可能なテレビジョン信号受信装置であって、
テレビジョン信号を受信する受信手段と、
記録媒体に格納された複数の画像を前記テレビジョン信号受信装置に入力するための入力手段と、
前記複数の画像を縮小した複数のサムネイル画像の一覧、又は前記複数の画像のうちの選択された画像を表示部に表示させるアプリケーションを実行するアプリケーション実行手段と、
前記表示部に前記複数のサムネイル画像の一覧が表示されている場合は、それぞれ前記複数のサムネイル画像の一覧表示時に実行可能な機能を示す、前記複数のカラーボタンに対応する複数の機能項目を前記表示部に表示させ、前記表示部に前記選択された画像が表示されている場合は、それぞれ前記選択された画像表示時に実行可能な機能を示す、前記複数のカラーボタンに対応する複数の機能項目を前記表示部に表示させる制御手段と、を備えるテレビジョン信号受信装置。
【請求項２】  異なる色を有する複数のカラーボタンを備えたリモコン装置で操作可能なテレビジョン信号受信装置であって、
テレビジョン信号を受信する受信手段と、
記録媒体に格納された複数の画像を前記テレビジョン信号受信装置に入力するための入力手段と、
前記複数の画像を縮小した複数のサムネイル画像の一覧、又は前記複数の画像のうちの選択された画像を表示部に表示させるアプリケーションを実行するアプリケーション実行手段と、
前記アプリケーションが実行された場合に、それぞれ前記複数のカラーボタンに対応する機能を示す複数の機能項目を前記表示部に表示させる制御手段とを備え、
前記制御手段は、前記複数のサムネイル画像の一覧から一つのサムネイル画像が選択されることにより、前記選択された画像が前記表示部に表示された場合は、前記複数のカラーボタンに対応する機能を変化させることを特徴とするテレビジョン信号受信装置。
【請求項３】  前記複数のカラーボタンは、ＡＲＩＢ規格に準拠した、青、赤、緑、黄の四色のカラーボタンのうちの少なくとも２つのボタンを含むことを特徴とする請求項１または請求項２に記載のテレビジョン信号受信装置。
【請求項４】  異なる色を有する複数のカラーボタンを備えたリモコン装置で操作可能な、テレビジョン信号を受信するテレビジョン信号受信装置の制御方法であって、
記録媒体に格納された複数の画像を前記テレビジョン信号受信装置に入力する入力ステップと、
前記複数の画像を縮小した複数のサムネイル画像の一覧、又は前記複数の画像のうちの選択された画像を表示部に表示させるアプリケーションを実行するアプリケーション実行ステップと、
前記表示部に前記複数のサムネイル画像の一覧が表示されている場合は、それぞれ前記複数のサムネイル画像の一覧表示時に実行可能な機能を示す、前記複数のカラーボタンに対応する複数の機能項目を前記表示部に表示させ、前記表示部に前記選択された画像が表示されている場合は、それぞれ前記選択された画像表示時に実行可能な機能を示す、前記複数のカラーボタンに対応する複数の機能項目を前記表示部に表示させる制御ステップと、を備える制御方法。
【請求項５】  異なる色を有する複数のカラーボタンを備えたリモコン装置で操作可能な、テレビジョン信号を受信するテレビジョン信号受信装置の制御方法であって、
記録媒体に格納された複数の画像を前記テレビジョン信号受信装置に入力する入力ステップと、
前記複数の画像を縮小した複数のサムネイル画像の一覧、又は前記複数の画像のうちの選択された画像を表示部に表示させるアプリケーションを実行するアプリケーション実行ステップと、
前記アプリケーションが実行された場合に、前記複数のカラーボタンに対応する機能を示す複数の機能項目を前記表示部に表示させる制御ステップとを備え、
前記制御ステップは、前記複数のサムネイル画像の一覧から一つのサムネイル画像が選択されることにより、前記選択された画像が前記表示部に表示された場合は、前記複数のカラーボタンに対応する機能を変化させることを特徴とする制御方法。
【請求項６】  前記複数のカラーボタンは、ＡＲＩＢ規格に準拠した、青、赤、緑、黄の四色のカラーボタンのうちの少なくとも２つのボタンを含むことを特徴とする請求項４または請求項５に記載の制御方法。
【請求項７】  請求項４から請求項６までのいずれか一項に記載の制御方法の各ステップをコンピュータに実行させるためのプログラムを記録したコンピュータ読み取り可能な記録媒体。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
【課題を解決するための手段】
本発明に係るテレビジョン信号受信装置は、異なる色を有する複数のカラーボタンを備えたリモコン装置で操作可能なテレビジョン信号受信装置であって、テレビジョン信号を受信する受信手段と、記録媒体に格納された複数の画像を前記テレビジョン信号受信装置に入力するための入力手段と、前記複数の画像を縮小した複数のサムネイル画像の一覧、又は前記複数の画像のうちの選択された画像を表示部に表示させるアプリケーションを実行するアプリケーション実行手段と、前記表示部に前記複数のサムネイル画像の一覧が表示されている場合は、それぞれ前記複数のサムネイル画像の一覧表示時に実行可能な機能を示す、前記複数のカラーボタンに対応する複数の機能項目を前記表示部に表示させ、前記表示部に前記選択された画像が表示されている場合は、それぞれ前記選択された画像表示時に実行可能な機能を示す、前記複数のカラーボタンに対応する複数の機能項目を前記表示部に表示させる制御手段と、を備える。
本発明に係る他のテレビジョン信号受信装置は、異なる色を有する複数のカラーボタンを備えたリモコン装置で操作可能なテレビジョン信号受信装置であって、テレビジョン信号を受信する受信手段と、記録媒体に格納された複数の画像を前記テレビジョン信号受信装置に入力するための入力手段と、前記複数の画像を縮小した複数のサムネイル画像の一覧、又は前記複数の画像のうちの選択された画像を表示部に表示させるアプリケーションを実行するアプリケーション実行手段と、前記アプリケーションが実行された場合に、それぞれ前記複数のカラーボタンに対応する機能を示す複数の機能項目を前記表示部に表示させる制御手段とを備え、前記制御手段は、前記複数のサムネイル画像の一覧から一つのサムネイル画像が選択されることにより、前記選択された画像が前記表示部に表示された場合は、前記複数のカラーボタンに対応する機能を変化させることを特徴とする。
【手続補正５】
【補正対象書類名】明細書
【補正対象項目名】００１３
【補正方法】変更
【補正の内容】
【００１３】
本発明に係るテレビジョン信号受信装置の制御方法は、異なる色を有する複数のカラーボタンを備えたリモコン装置で操作可能な、テレビジョン信号を受信するテレビジョン信号受信装置の制御方法であって、記録媒体に格納された複数の画像を前記テレビジョン信号受信装置に入力する入力ステップと、前記複数の画像を縮小した複数のサムネイル画像の一覧、又は前記複数の画像のうちの選択された画像を表示部に表示させるアプリケーションを実行するアプリケーション実行ステップと、前記表示部に前記複数のサムネイル画像の一覧が表示されている場合は、それぞれ前記複数のサムネイル画像の一覧表示時に実行可能な機能を示す、前記複数のカラーボタンに対応する複数の機能項目を前記表示部に表示させ、前記表示部に前記選択された画像が表示されている場合は、それぞれ前記選択された画像表示時に実行可能な機能を示す、前記複数のカラーボタンに対応する複数の機能項目を前記表示部に表示させる制御ステップと、を備える。
本発明に係る他のテレビジョン信号受信装置の制御方法は、異なる色を有する複数のカラーボタンを備えたリモコン装置で操作可能な、テレビジョン信号を受信するテレビジョン信号受信装置の制御方法であって、記録媒体に格納された複数の画像を前記テレビジョン信号受信装置に入力する入力ステップと、前記複数の画像を縮小した複数のサムネイル画像の一覧、又は前記複数の画像のうちの選択された画像を表示部に表示させるアプリケーションを実行するアプリケーション実行ステップと、前記アプリケーションが実行された場合に、前記複数のカラーボタンに対応する機能を示す複数の機能項目を前記表示部に表示させる制御ステップとを備え、前記制御ステップは、前記複数のサムネイル画像の一覧から一つのサムネイル画像が選択されることにより、前記選択された画像が前記表示部に表示された場合は、前記複数のカラーボタンに対応する機能を変化させることを特徴とする。